(57)【要約】【課題】ゴルフ場運営会社とマンション居住者とマンション管理会社との利益を図る。【解決手段】該マンション管理会社（１）のコンピュータとゴルフ場運営会社（３）のコンピュータ及びマンション居住者（５）のコンピュータとをコンピュータネットワーク（７）を介して接続し、ゴルフ場運営会社は該コンピュータネットワークを介して該マンション管理会社に対しゴルフクラブ会員権の販売を委託し、該マンション管理会社はコンピュータネットワークを介して該ゴルフクラブ会員権をマンション居住者に販売すると共に該ゴルフクラブ会員権を該ゴルフ場運営会社に登録させ、該ゴルフクラブ会員権を証明するゴルフクラブ会員権カードを該マンション居住者に引き渡し、ゴルフ場運営会社は該ゴルフ場運営会社のゴルフクラブ会員権を登録しているマンション居住者に対しゴルフ場の使用その他のサービスを提供する。【選択図】図１
2004246543.tif 000002
【特許請求の範囲】
【請求項１】
マンションを管理するマンション管理会社と、ゴルフ場を運営する多数のゴルフ場運営会社と、マンションに居住する多数のマンション居住者とを備え、
該マンション管理会社のコンピュータとゴルフ場運営会社のコンピュータとをコンピュータネットワークを介して接続し、
該マンション管理会社のコンピュータとマンション居住者のコンピュータとをコンピュータネットワークを介して接続し、
ゴルフ場運営会社は該コンピュータネットワークを介して該マンション管理会社に対しゴルフクラブ会員権の販売を委託し、
該マンション管理会社はコンピュータネットワークを介して該ゴルフクラブ会員権をマンション居住者に販売すると共に該ゴルフクラブ会員権を該ゴルフ場運営会社に登録させ、該ゴルフクラブ会員権を証明するゴルフクラブ会員権カードを該マンション居住者に引き渡し、
ゴルフ場運営会社は該ゴルフ場運営会社のゴルフクラブ会員権を登録しているマンション居住者に対しゴルフ場の使用その他のサービスを提供するようにしたことを特徴とするゴルフクラブ会員権の登録システム。
【請求項２】
前記マンション居住者は当該ゴルフ場運営会社のゴルフクラブ会員権を該ゴルフ場運営会社の株式と共に購入し、該ゴルフクラブ会員権を該ゴルフ場運営会社の株主総会における議決権付きの会員権としたことを特徴とする請求項１に記載のゴルフクラブ会員権の登録システム。
【請求項３】
前記マンション管理会社は、前記ゴルフクラブ会員権を購入したマンション居住者の一定範囲内の家族を家族会員として当該ゴルフ場運営会社に登録させ、該ゴルフ場運営会社は該家族会員に対しゴルフ場の使用その他のサービスを提供することを特徴とする請求項１又は２に記載のゴルフクラブ会員権の登録システム。
【発明の詳細な説明】
【０００１】
【発明の属する技術分野】
本発明は、ゴルフクラブ会員権の登録システムに関するものであり、更に詳しくは、マンション管理会社がゴルフ場運営会社の委託によりゴルフクラブ会員権をマンションの居住者に販売し、該ゴルフクラブ会員権を該ゴルフ場運営会社に登録させ、該ゴルフ場運営会社がゴルフクラブ会員権の購入者に種々のサービスを行なうようにしたゴルフクラブ会員権の登録システムに係るものである。
【０００２】
【従来の技術】
このようなゴルフクラブ会員権の登録システムは、本出願人の知る限りにおいて、従来存在しない。
【０００３】
【発明が解決しようとする課題】
本発明は、ゴルフ場運営会社とマンション居住者とマンション管理会社との利益を図り、健全なスポーツとしてのゴルフの振興と普及に寄与するために、新規なゴルフクラブ会員権の登録システムを提供しようとしてなされたものである。
【０００４】
【課題を解決するための手段】
上記課題を解決するために、本発明は下記のゴルフクラブ会員権の登録システムを提供する。
【０００５】
（１）マンションを管理するマンション管理会社と、ゴルフ場を運営する多数のゴルフ場運営会社と、マンションに居住する多数のマンション居住者とを備え、
該マンション管理会社のコンピュータとゴルフ場運営会社のコンピュータとをコンピュータネットワークを介して接続し、
該マンション管理会社のコンピュータとマンション居住者のコンピュータとをコンピュータネットワークを介して接続し、
ゴルフ場運営会社は該コンピュータネットワークを介して該マンション管理会社に対しゴルフクラブ会員権の販売を委託し、
該マンション管理会社はコンピュータネットワークを介して該ゴルフクラブ会員権をマンション居住者に販売すると共に該ゴルフクラブ会員権を該ゴルフ場運営会社に登録させ、該ゴルフクラブ会員権を証明するゴルフクラブ会員権カードを該マンション居住者に引き渡し、
ゴルフ場運営会社は該ゴルフ場運営会社のゴルフクラブ会員権を登録しているマンション居住者に対しゴルフ場の使用その他のサービスを提供するようにしたことを特徴とするゴルフクラブ会員権の登録システム（請求項１）。
【０００６】
（２）前記マンション居住者は当該ゴルフ場運営会社のゴルフクラブ会員権を該ゴルフ場運営会社の株式と共に購入し、該ゴルフクラブ会員権を該ゴルフ場運営会社の株主総会における議決権付きの会員権とする（請求項２）。
【０００７】
（３）前記マンション管理会社は、前記ゴルフクラブ会員権を購入したマンション居住者の一定範囲内の家族を家族会員として当該ゴルフ場運営会社に登録させ、該ゴルフ場運営会社は該家族会員に対しゴルフ場の使用その他のサービスを提供する（請求項３）。
【０００８】
【発明の実施の形態】
次に、本発明の実施の形態を添付図面に従って説明する。
【０００９】
本発明によるゴルフクラブ会員権の登録システムは、マンションを管理するマンション管理会社１と、ゴルフ場を運営する多数のゴルフ場運営会社３、３・・・と、マンションに居住する多数のマンション居住者５、５・・・とを備えている。ゴルフ場運営会社３、３・・・の所在地は問わない。また、マンション居住者５、５・・・は、該マンション管理会社１が管理するいかなるマンションに居住するものであってもよく、該マンションは新築、既存の如何、及び分譲、賃貸の如何を問わない。
【００１０】
該マンション管理会社１のコンピュータとゴルフ場運営会社３、３・・・のコンピュータとをインターネット等のコンピュータネットワーク７を介して接続する。
【００１１】
該マンション管理会社１のコンピュータとマンション居住者５、５・・・のコンピュータとをインターネット等のコンピュータネットワーク７を介して接続する。
【００１２】
ゴルフ場運営会社３、３・・・は該コンピュータネットワーク７を介して該マンション管理会社１に対しゴルフクラブ会員権の販売を委託する。
【００１３】
マンション管理会社１はコンピュータネットワーク７を介して該ゴルフクラブ会員権をマンション居住者５、５・・・に販売すると共に該ゴルフクラブ会員権を該ゴルフ場運営会社３、３・・・に登録させ、該ゴルフクラブ会員権を証明するゴルフクラブ会員権カード９を該マンション居住者５、５・・・に引き渡す。
【００１４】
ゴルフ場運営会社３、３・・・は該ゴルフ場運営会社３、３・・・のゴルフクラブ会員権を登録しているマンション居住者５、５・・・に対しゴルフ場の使用その他のサービスを提供する。マンション居住者５、５・・・はゴルフ場運営会社３、３・・・からサービスの提供を受ける際には、該ゴルフ場運営会社３、３・・・にゴルフクラブ会員権カードを提示する。
【００１５】
即ち、マンション管理会社１は、各ゴルフ場運営会社３、３・・・と上記に必要な契約を締結すると共に各マンション居住者５、５・・・と上記に必要な契約を締結する。これらの契約は、それぞれコンピュータネットワーク７を介して行なわれるのであるが、別途契約書を交わしてもよい。
【００１６】
マンション居住者５、５・・・はゴルフ場運営会社３のゴルフクラブ会員権を該ゴルフ場運営会社３の株式と共に購入し、該ゴルフクラブ会員権を当該ゴルフ場運営会社３の株主総会における議決権付きの会員権としてもよい。この場合には、該ゴルフ場運営会社３は該ゴルフ場運営会社３の議決権付きゴルフクラブ会員権を登録しているマンション居住者５、５・・・に対し株主総会における議決権を行使させる。
【００１７】
マンション管理会社１は、ゴルフクラブ会員権を購入したマンション居住者５、５・・・の一定範囲内の家族を家族会員１１として当該ゴルフ場運営会社３に登録させ、該ゴルフ場運営会社３は該家族会員１１に対しゴルフ場の使用その他のサービスを提供する。家族会員１１の数は一例として３名までとする。
【００１８】
図２はゴルフクラブ会員権を証明するゴルフクラブ会員権カード９の一例を示す。このゴルフクラブ会員権カード９は当該ゴルフ場運営会社３の株主総会における議決権付きの会員権である。図示のゴルフクラブ会員権カード９においては、マンション居住者５たる山田一郎が株主会員であり、山田一郎の家族３名（山田京子、山田哲也、山田日登美）が家族会員１１である。
【００１９】
マンション管理会社１は、ゴルフクラブ会員権をマンション居住者５、５・・・に販売することに関する一切の手続きをゴルフ場運営会社３、３・・・に代わって行い、ゴルフクラブ会員権の販売代金をマンション居住者５、５・・・から受け取り、これをゴルフ場運営会社３、３・・・に銀行口座振込み等により引き渡す。ゴルフクラブ会員権カード９はゴルフ場運営会社３、３・・・が作成してもよいが、マンション管理会社１が作成してもよい。
【００２０】
マンション居住者５、５・・・は、ゴルフクラブ会員権の対価を所定の管理費用と共にマンション管理会社１に銀行口座振込み等により引き渡す。該管理費用はマンション管理会社１が受け取る。
【００２１】
ゴルフ場運営会社３、３・・・は、マンション管理会社１に対し、ゴルフクラブ会員権の販売に関する手数料を支払う。
【００２２】
ゴルフ場運営会社３、３・・・が該ゴルフ場運営会社３、３・・・のゴルフクラブ会員権を登録しているマンション居住者５、５・・・に対して提供するサービスには、例えば下記のものが含まれる。
【００２３】
（イ）ゴルフ場運営会社３、３・・・が運営するゴルフ場をマンション居住者５、５・・・に使用させる。
【００２４】
（ロ）マンション居住者５、５・・・のために、種々のイベントを企画し、開催する。
【００２５】
（ハ）クラブハウスにおいて、マンション居住者５、５・・・に適宜、食事、風呂等のサービスを提供する。
【００２６】
（ニ）ゴルフ場運営会社３、３・・・が運営するゴルフ場とマンション管理会社１ないし最寄の鉄道駅との間のマイクロバス等の交通手段をマンション居住者５、５・・・に提供する。
【００２７】
【発明の効果】
本発明は次のような優れた効果を発揮する。
【００２８】
即ち、ゴルフ場運営会社はマンション管理会社を通して多数のマンション居住者にゴルフクラブ会員権を販売することができる。即ち、マンション管理会社にとっては自己の管理下にあるマンション居住者が顧客になるのであるから、このようなマンション居住者にゴルフクラブ会員権を販売することは比較的容易である。また、マンション居住者は日ごろ付き合いのあるマンション管理会社を通してゴルフクラブ会員権を購入するのであるから、ゴルフクラブ会員権を安心して購入することができる。更に、マンション居住者はゴルフ場運営会社から充実したサービスの提供を受けることができる。このように、本発明によれば、ゴルフ場運営会社とマンション居住者とマンション管理会社との三者が利益を受け、健全なスポーツとしてのゴルフの振興と普及を図ることができる。
【００２９】
しかも、マンション管理会社のコンピュータとゴルフ場運営会社のコンピュータとをコンピュータネットワークを介して接続し、該マンション管理会社のコンピュータとマンション居住者のコンピュータとをコンピュータネットワークを介して接続しているため、ゴルフ場運営会社とマンション居住者とマンション管理会社との三者にとって手続きを極めて容易且つ迅速に行なうことができる。
【図面の簡単な説明】
【図１】本発明によるゴルフクラブ会員権の登録システムの一例を示す説明図である。
【図２】ゴルフクラブ会員権を証明するゴルフクラブ会員権カードの一例を示す平面図である。
【符号の説明】
１  マンション管理会社
３  ゴルフ場運営会社
５  マンション居住者
７  コンピュータネットワーク
９  ゴルフクラブ会員権カード
１１  家族会員
【図１】
2004246543.tif 000003
【図２】
2004246543.tif 000004